(57)【特許請求の範囲】
【請求項１】
偶然に出会った人同士が、身元については秘密にしたまま、期間を置いて人間関係を築くためのシステムであって、
私物に取り付けられる識別札（２）と、前記識別札（２）は、その識別札（２）に割り当てられた個別コードを記録する記憶手段（１１）と、前記個別コードを表す信号を送信する送信手段（１２）を備え、
前記個別コードを表し且つ前記送信手段（１２）から送信された信号を取り出す受信手段（２０）及び該送信手段（１２）の作動を許可する許可手段（１６）を備える携行可能な検出装置（４）と、該許可手段（１６）は、前記受信手段（２０）と関連付けられて前記識別札（２）に照会信号を送信し、該送信手段（１２）は、その照会信号に応答して前記個別コードを表す信号を送信することと、
前記個別コードと関連付けられるとともに前記私物の保持者に割り当てられるＥメールボックスを有する専用のインターネットのウェブサイトとを備え、
前記個別コードが与えられると、保持者の匿名性を確実にしつつ、前記専用のインターネットのウェブサイトを介して前記Ｅメールボックスに直接にアクセスすることが可能であることを特徴とするシステム。
【請求項２】
前記許可手段（１６）は、前記送信手段（１２）から送信された信号を受信することを特徴とする請求項１に記載のシステム。
【請求項３】
前記送信手段（１２）は、前記検出装置（４）の許可手段（１６）から発生された前記照会信号に応答してのみ、前記個別コードを表す信号を送信することを特徴とする請求項２に記載のシステム。
【請求項４】
前記許可手段（１６）は、予め定められた方向に前記照会信号を発生させることを特徴とする請求項３に記載のシステム。
【請求項５】
前記送信手段（１２）は、前記許可手段（１６）により作動させられる受動応答器を備えることを特徴とする請求項４に記載のシステム。
【請求項６】
前記許可手段（１６）は無線周波数信号或いは赤外線信号を送信する手段であることを特徴とする請求項２〜５のいずれか１項に記載のシステム。
【請求項７】
前記札（２）は更に、前記記憶手段（１１）と関連付けられて、前記検出装置（４）から送信された照会信号を処理し、且つ同処理された照会信号と前記記憶手段（１１）に記録された一連のパラメータとを比較する処理手段（２１）を含み、処理手段（２１）は、前記照会信号が前記記憶手段（１１）に記録された前記パラメータと適合性を有する基準を満たす時にのみ、前記送信手段（１２）を作動させることを特徴とする請求項２〜６のいずれか１項に記載のシステム。
【請求項８】
前記札（２）は更に前記検出装置（４）により送信された照会信号に応答して指示信号を送信する指示手段を備え、前記照会信号が前記送信手段（１２）と前記指示手段とを同時に作動させることを特徴とする請求項２〜７のいずれか１項に記載のシステム。
【請求項９】
前記検出装置（４）は更に前記個別コードを表示する表示手段（１９）を備えることを特徴とする請求項１〜８のいずれか１項に記載のシステム。
【請求項１０】
前記検出装置（４）はセルホン（５）と一体化していることを特徴とする請求項１〜９のいずれか１項に記載のシステム。
【請求項１１】
前記セルホン（５）は、前記許可手段（１６）を作動させる専用の操作ボタン（１７）と、前記個別コードを表示する表示器（１９）とを備えることを特徴とする請求項１０に記載のシステム。
【請求項１２】
前記私物は洋服であることを特徴とする請求項１〜１１のいずれか１項に記載のシステム。
【請求項１３】
前記私物は前記検出装置（４）と前記札（２）とを備えたセルホン（５）であることを特徴とする請求項１〜１１のいずれか１項に記載のシステム。
【発明の詳細な説明】
【０００１】
技術分野
本発明は、洋服、アクセサリー或いは携行可能な装置等の私物を識別するシステムに関し、偶然に出会った見ず知らずの人同士が、身元については秘密にしたまま、期間を置いて人間関係を築くためのものである。従って、本発明は期間を置いて人間関係を築くためのシステムに関する。
【０００２】
従来の技術
周知のように、多くの人々にとって、特に内向的な性格の人々にとっては、偶然に出会い関心を持った見ず知らずの人に、可能であれば感情に訴えるような関係を築きたいと思って近づくことは困難である。同じようなことは一般的な外向的な人々にも当てはまることであり、それらの人々は、誤った印象を与えるのではないかと恐れることによって、将来的に関係を築く可能性を危うくしている。
【０００３】
特に発展した社会においては、侵略者であるかもしれないと見なしたり或いは単に不快な思いをさせる人と見なしたりした見ず知らずの人を大概信用しないことから、問題は更に複雑となっている。また、過度に利益を追求する仕事の場合には、匿名性を維持し且つ感情的な関係を持たないことに直接的に比例して、仕事上の取引や顧客との関係が効果的且つ利益的であることから、仕事上の取引や顧客との関係を理由にして個人の孤立が促進されている。
【０００４】
見ず知らずの人同士が人間関係を築く際の問題点がおそらく、インターネットのウェブサイトが驚異的な成功を収めた理由である。ウェブサイトでは、見ず知らずの人々が匿名性を維持しつつＥメールにより連絡をとって多少なりとも個人の情報を交換するのである。このようなことは「遠く離れたままで」信用や信頼ができる関係を築くまで続けられ、その結果、関係する人同士は徐々に自身の身元を明らかにしてゆき、個人的に会うようになる。逆の場合には、もし関係を進める間に関心が持てなくなったら、Ｅメールの間柄はいつ中断されてもよい。
【０００５】
見ず知らずの人同士が人間関係を築くことができるように、客が電子的に連絡をとることができるステーションが設けられた公共の建物がある。各テーブルにステーションが備えられており、他のテーブルから例えばテーブル番号をアドレスとして利用してメッセージを送ることができる。従って、関心を持たれた人にメッセージが送られ、そのメッセージがステーションに表示されることによって、最初の接触を図ることができる。しかしながら、このようなシステムは、視覚的に認識できるコードによって関係する人々を識別することができる建物内に限って利用することができる。
【０００６】
また、偶然に出会い、個人的な詳細や特にＥメールアドレスが判らない見ず知らずの人に近づくことは一般的に不可能である。
発明の開示
本発明の目的は、私物を識別するシステムを提供することであり、匿名性を確実にしつつ、期間を置いて私物の保持者と人間関係を築くことができるのである。
【０００７】
本発明によれば、洋服、アクセサリー、或いは携行可能な装置等の私物を識別する識別システムが提供される。識別システムは、私物に取り付けることが可能な識別札と、前記識別札から分離している携行可能な検出装置とを備えている。前記識別札は、その識別札と関連付けられた個別コードを記録する記憶手段と、前記個別コードを表す信号を送信する送信手段とを備える。前記検出装置は、前記個別コードを表し且つ前記送信手段から送信された信号を取り出すための受信手段を備える。
【０００８】
従って、匿名性を確実にしながら、期間を置いて私物の保持者と人間関係を築くことができ、それ故、安全且つ効果的に期間を置いて人間関係を築く方法を提供することができる私物の識別システムを提供する。
【０００９】
発明を実施する最良の形態
図１及び図２に示すように、識別システム１は、例えば洋服、アクセサリー或いは携行可能な装置等の私物３に取り付けることが可能な識別札２と、札２とは分離している携行可能な検出装置４とを備える。図１に示す一実施形態においては、札２は周知の方法を用いて認識可能となるようにズボン３に取り付けられており、また、検出装置４は周知のセルホン５と一体化されている。しかしながら、検出装置４はその他の携行可能な装置や、一般的なあらゆる種類の箱の中に収容してもよく、また、他の機能を持たなくてもよい（キーホルダー、付属物等）。
【００１０】
札２の形状や大きさはどのようなものでもよく、また、札２は適当な素材を用いて作られている。図２に詳細に示すように、札２は薄板６を備えており、薄板６は剛性がある（例えばプラスチック或いは金属により構成される）或いは可撓性がある（例えば皮革、織物或いは重合体素材により構成される）とともに、相互に対向する２つの表面７，８から構成される。薄板６は、記憶手段１１及びその記憶手段１１と関連付けられた送信手段１２を備えた情報装置１０（例えば周知のマイクロチップ）を収容する基底部９を有している。記憶手段１１は札２に割り当てられた個別コードを記録するものであり、送信手段１２は、後述するように、個別コード信号を発生させるものである。
【００１１】
図１及び図２に示す一実施形態においては、基底部９は行き止まっているとともに、薄板６の表面７に形成された前開口１３を有し、その前開口１３から基底部９の中へ情報装置１０が挿入される。また、表面７に取り付けられる例えば粘着ラベル等のラベル１４によって前開口１３が閉じられることにより、情報装置１０は基底部９の内部に保持されている（この場合、情報装置１０は基底部９と対向する側のラベル１４の面に接着されてもよい）。
【００１２】
札２は周知の方法によって私物３に取り付けられているが、取り付け方法は取り付けられる私物３の種類によって異なる。特に、好適な固定手段１５（例えば薄板６に設けられた透孔）が設けられていてもよいし、また、札２は私物３に縫い付けられたり或いは接着されたりしてもよい。札２は、表面７が私物３の表面に付けられると共に、反対側の表面８が露出された状態で私物３に取り付けられてもよいし、或いはその反対でもよい。また、露出される表面７或いは８は商業的な情報、画像及び／又はその他の所望する要素を示すものでもよい。
【００１３】
検出装置４は、札２に備えられた送信手段１２の作動を許可するとともに、例えばセルホン５に設けられた専用のキー等の操作ボタン１７により作動させられる許可手段１６を備えている。許可手段１６は札２に照会信号を送るとともに、その照会信号に応答して、札２の個別コードを表すとともに関連する記憶手段１１に記録された情報に基づいて送信手段１２から送信される信号を受信する。
【００１４】
送信手段１２は、検出装置４の許可手段１６から発生される照会信号に応答してのみ、札２の個別コードを表す信号を送信する。照会信号が送信されていない時には、送信手段１２の作動は許可されず、信号が送信されることはない。例えば、送信手段１２は許可手段１６により作動が許可される周知の受動応答器（説明を簡潔にするために詳細なことは示していない）を備えており、許可手段１６は所定方向１８に照会信号を発生させる種類のものである。例えば、許可手段１６は、無線周波数信号或いは赤外線信号を送信する（周知のあらゆる種類の）手段であってよい。
【００１５】
検出装置４は更に、個別コードを表示するとともに、例えばセルホン５の表示器により構成される周知の表示手段１９を備えている。
識別システム１は以下のように作用する。検出装置４の保持者は、札２の保持者に出会った時には、検出装置４をその人物の札２に向けるとともに、札２の方向において操作ボタン１７を押して許可手段１６を作動させる。許可手段１６により発生させられた照会信号により、その照会信号に応答して札２の送信手段１２の作動が許可されて、札２に割り当てられ且つ記憶手段１１に記録された個別コードを表す信号が送信される。札２の個別コードを表す信号は検出装置４により受信されて、表示器１９に表示される。
【００１６】
たとえ多数の札２が存在しており、そのため多数の異なる送信手段１２が存在している状態であっても、検出装置４は所望する札２に対応する信号だけを受信する。本発明においては、札２の送信手段１２は検出装置４の照会信号に応答してのみコード信号を発生させるものであり、また、照会信号は所定方向に送信されるものであるため、所望する札２の方向にのみ向けられるのである。従って、検出装置４は、照会信号が向けられた札から送信される作動応答信号のみを受信する。個別コードは例えば連続する英数字（ＭＩ−５１０−ＡＢ等、札２が購入された都市を示す文字を含んでいてもよい）等のあらゆる種類のものでよい。なお、個別コードを利用して札２の保持者と接触する方法はいろいろあるが、その全てが保持者の匿名性を確実にするものでなければならない。例えば、札２（すなわち、札２が取り付けられた私物３）を購入した際に、購入者には、個別コードが与えられると、専用のインターネットのウェブサイトを利用して直接にアクセスすることが可能なＥメールボックスが（勿論、その購入者の承認を得て）割り当てられる。ウェブサイトを呼び出して、（偶然に出会った際に検出された）個別コードを入力することにより、Ｅメールメッセージが興味を持った人物に送られるとともに、返信のために自身の個別コードが残される。同じインターネットのウェブサイトに接続した受信者はメッセージを読むことができ、匿名のまま返信するかどうかを決めるのである。すなわち、実際の個人のＥメールアドレスに直接送信されるのとは異なり、各受信者の匿名性を確実にしつつすべてのコミュニケーションを共通のサービスによって管理するのであって、受信者は受信するかどうかを決定することができ、そして受信したメッセージに返信を送るか否かを決定することができる。
【００１７】
また、各サービスの利用者に関する識別できない情報（肉体的な外見、性格、興味、星座等）が、メッセージが送られるに先立って、専用のインターネットのウェブサイトを介して調べられて情報カードに記録されてもよい。
【００１８】
すなわち、偶然に出会い、本発明の札２が取り付けられた私物３を所有する人物と接触するために、検出装置４は問い合わせられた人物の個別コードを憶えるのである。そして、検出された個別コードは、専用のインターネットのウェブサイトにおいてＥメールボックスアドレスとして利用されるのである。
【００１９】
個別コード及び対応するＥメールボックスは、札２が取り付けられた私物３を購入した際に割り当てられる（そして関連する情報カードが集められる）とともに、検出装置４が（例えば付属物の形態で）提供されるか、或いは検出装置４がセルホン５等の比較的高価な装置の一部を形成するのであれば、検出装置４が購入された際に割り当てられる。後者の場合、札２は検出装置４を収容しているものと同じ装置に取り付けられる。
【００２０】
従って、本発明によれば、簡単且つ効果的に、匿名性を確実にしたまま知らない者同士の間の人間関係を築くことができる。
札２は、例えば洋服、かばん或いはリュックサック、眼鏡等のアクセサリー、セルホン等、どのような私物３に取り付けてもよく、必ずしも視覚的に認識できる必要はない。関心を持った人物が実際に札２を保持しているかどうかを知らなくても、その人物に向けて検出装置４は作動させられる。もしその人物が札２が付けられた物を何も持っていなければ、個別コードは検出されない。札２は私物３の内部、例えばセルホン５の内部に取り付けられてもよく、その場合には札２と検出装置４とが共に備えられる。
【００２１】
セルホン５に検出装置４を一体化させた場合には、一旦関心を持った人物の個別コードを検出すると、インターネットにアクセスすることができるように設計されたセルホン５を使えば、Ｅメールによって連絡を取ることができるという利点を得ることができる。
【００２２】
札２に割り当てられる個別コードは、文字ではなく、Ｅメールアドレス（例えば専用のインターネットのウェブサイトにおける指定のボックス）であってもよく、この場合には、検出装置４の保持者はそのアドレスにＥメールメッセージを送ることによって札２の保持者と接触することができる。個別コードは電話番号であってもよく、この場合には、検出装置４の保持者はその電話番号に電話をかけるか或いはテキストメッセージ（ＳＭＳ）を送ればよい。
【００２３】
その他の実施形態としては、札２の送信手段１２は検出装置４の許可手段１６により送信される照会信号によって作動が許可される必要はなく、札２に割り当てられた個別コードを表す信号を連続的に送ってもよい。この場合には、検出装置４は送信手段１２から送信された個別コード信号を受信する受信手段を有する。
【００２４】
また別の実施形態としては、例えば周知のマイクロプロセッサにより構成される情報装置１０は更に、記憶手段１１と関連付けられるとともに、検出装置４から送信された照会信号を処理して記憶手段１１に記録された一連のパラメータと比較する処理手段２１を備える。情報装置１０の処理手段２１により処理された照会信号が札２に保存されたパラメータと適合性がある場合に、送信手段１２の作動が許可される。例えば、記憶手段１１に記録されたパラメータは、札２を購入した時に個別コードと共に（或いはその一部として）記憶された札２の保持者の個人情報（肉体的な外見、性格等）を表してもよい。従って、検出装置４により送信された照会信号は、検出装置４の保持者が接触したいと思う人物の特徴に関する種々の情報を送り、その照会信号は受信され、処理され、そして記憶手段１１に含まれる人物情報と比較される。合致する（すなわち、検出装置４の保持者が捜している人物情報が札２の保持者の情報と合致する）場合には、情報装置１０は送信手段１２が応答信号を送ることを許可し、そうでない場合には、送信手段の作動は許可されない。
【００２５】
また別の実施形態としては、検出装置４から送信された照会信号は、一方向ではなく、複数の札２により受信されてもよく、検出装置４が接触したい特定の人物に向けてではなくグループに向けて作動されて、そのグループが適合性のある人物情報を保持しているか否かが判断される。接触される人物の特徴に関する情報は、購入した際、又は例えば専用のインターネットのウェブサイトを介して後日に検出装置４へ入力される。
【００２６】
この実施形態は、札２が検出装置４を備えたセルホン５に適用される場合に特に好適であり、札２は実際のセルホン５のカード（許可／作動カード、「シム・カード」）として利用される。
【００２７】
検出装置４は、好適には、識別システム１が２個の異なる操作モードを実行することを許可する２個の別個の操作ボタン１７を備えている（照会信号は自動的に送信手段１２の作動を許可するか、或いは捜している人物情報を表す）。
【００２８】
識別システム１は、好適には、可能であればセルホンが一体化された腕時計に適用されてもよく、また、可能であればセルホンの機能が一体化された特に小型の所謂パームトップ型の携行可能なコンピュータに適用されてもよい。この場合、札２とパームトップ型コンピュータ（札２が視覚的に認識できてもできなくても）が組み込まれた検出装置４は、プロセッサに接続されて、パームトップ型コンピュータ自体のメモリと処理手段を使用する。
【００２９】
本発明の更に別の実施形態としては、札２は周知の例えば振動、音声、或いは視覚的な指示手段２２を備えており（単なる一例として、図２には光を発する指示手段２２が示されている）、札２の送信手段１２と接続されるとともに、周知の指示信号を送信して、送信手段１２が照会信号を受信したことを利用者に知らせる。従って、検出装置４により送信された照会信号は、送信手段１２および指示手段２２の両方を同時に作動させる。
【００３０】
図示されていない更に別の実施形態としては、許可手段１６は、操作ボタン１７ではなく、生理的なパラメータを検出するように検出装置４に取り付けられる周知のセンサによって作動させられてもよい。例えば、検出装置４が腕時計或いは肌と直接接触する宝石の一部を構成する場合には、センサが肌と接触することによって利用者の心拍（或いは利用者の感情的な状態と好ましく関連する他のパラメータ）を検出してもよい。また、観察されたパラメータに所定の変化を検出した（例えば、利用者が接触したい人物に出会うことにより心拍が増加した）時には、センサは自動的に許可手段１６を作動させて照会信号を送信する。
【図面の簡単な説明】
【図１】  本発明に基づいて構成された識別システムを示す概略図。
【図２】  図１のシステムの拡大詳細図。
【図１】
0004698912.tif 000002
【図２】
0004698912.tif 000003